(57)【要約】【課題】広い天板スペースを確保することができ、しかも、奥行き幅をとらない引出しを備えたキャビネットを提供する。【解決手段】キャビネット本体２から前方側へ引き出し可能に引出し６が設けられ、この引出し６には天板７が備えられているキャビネットにおいて、天板７の後端部には、引出し６がキャビネット本体２内に収納された時に、折り畳まれる拡張天板９が設けられている。【選択図】図６
2009050677.tif 000002
【特許請求の範囲】
【請求項１】
キャビネット本体から前方側へ引き出し可能に引出しが設けられ、該引出しの上面には天板が備えられているキャビネットにおいて、
前記天板の後端部には、前記引出しがキャビネット本体内に収納された時に、折り畳まれる拡張天板が設けられていることを特徴とするキャビネット構造。
【請求項２】
前記引出しが前方側へ引き出された時に、前記拡張天板がほぼ水平状態となるように、前記キャビネット本体の側板にガイドを設けたことを特徴とする請求項１に記載のキャビネット構造。
【請求項３】
前記拡張天板はヒンジを介し、折り畳まれた状態から水平状態へ回動可能に設けられているとともに、前記ガイドには、前方側へ向かって上傾したガイド面が設けられ、引出しが前方側へ引き出される時に前記ガイド面に沿って前記拡張天板が折り畳まれた状態から水平状態に移行するように構成したことを特徴とする請求項２に記載のキャビネット構造。
【請求項４】
前記ガイドは、複数のローラーで構成されていることを特徴とする請求項２に記載のキャビネット構造。
【請求項５】
前記天板の後端部に、収納された時に略垂直状態に折り畳まれる拡張天板が設けられていることを特徴とする請求項１乃至請求項４何れかに記載のキャビネット構造。
【発明の詳細な説明】
【技術分野】
【０００１】
本発明は、上面に天板を有する引出しを備えたキャビネットの構造に関するものである。
【背景技術】
【０００２】
従来、特許文献１に開示されているように、キャビネットのけこみ板から、踏み台を前方へスライドさせて引き出し可能に設け、引き出した踏み台の上に乗って、上方のキャビネット等から収納物等を取り出すことができるように構成したキャビネット構造が存在する。
【特許文献１】特開昭６２−２９０４０９号公報
【発明の開示】
【発明が解決しようとする課題】
【０００３】
上記引き出し可能な踏み台を備えたキャビネットにおいて、キャビネット内部には給水，排水等の配管が設けられており、これらの配管との干渉を避けるためには踏み台の奥行き寸法を短く設定する必要があり、そのため踏み台を引き出してその上に乗る際に、スペースが狭く、使い勝手が悪くなってしまうという問題点があった。
【課題を解決するための手段】
【０００４】
本発明は上記従来の問題点に鑑み案出したものであって、使用する際に天板のスペースを十分に確保することのできるキャビネット構造を提供するものであり、その請求項１は、キャビネット本体から前方側へ引き出し可能に引出しが設けられ、該引出しの上面には天板が備えられているキャビネットにおいて、前記天板の後端部には、前記引出しがキャビネット本体内に収納された時に、折り畳まれる拡張天板が設けられていることである。
【０００５】
また、請求項２は、前記引出しが前方側へ引き出された時に、前記拡張天板がほぼ水平状態となるように、前記キャビネット本体の側板にガイドを設けたことである。
【０００６】
また、請求項３は、前記拡張天板はヒンジを介し、折り畳まれた状態から水平状態へ回動可能に設けられているとともに、前記ガイドには、前方側へ向かって上傾したガイド面が設けられ、引出しが前方側へ引き出される時に前記ガイド面に沿って前記拡張天板が折り畳まれた状態から水平状態に移行するように構成したことである。
【０００７】
また、請求項４は、前記ガイドは、複数のローラーで構成されていることである。
【０００８】
また、請求項５は、前記天板の後端部に、収納された時に略垂直状態に折り畳まれる拡張天板が設けられていることである。
【発明の効果】
【０００９】
本発明のキャビネット構造は、キャビネット本体から前方側へ引き出し可能に引出しが設けられ、該引出しの上面には天板が備えられているキャビネットにおいて、前記天板の後端部には、前記引出しがキャビネット本体内に収納された時に、折り畳まれる拡張天板が設けられていることにより、引出しはキャビネット本体内に収納される時には拡張天板が折り畳まれるため、奥行き寸法は小さくなり、キャビネット内部の給水，排水配管との干渉を避けることができ、コンパクトに収納されるものとなり、引出しを前方側へ引き出して使用する際には、拡張天板の分だけ天板スペースを広く確保することができるものとなる。
なお、「折り畳まれる」とは、天板に対し拡張天板が一定の角度をもって収納される状態、或いは、天板に対し拡張天板が重ね合わされる状態を含むものである。
【００１０】
また、前記引出しが前方側へ引き出された時に、前記拡張天板がほぼ水平状態となるように、前記キャビネット本体の側板にガイドを設けたことにより、引出しを前方側へ引き出す際に、キャビネット本体に設けられたガイドに沿って拡張天板が水平状態となり、拡張天板と引出し天板とを加えた広いスペースとなる。
【００１１】
また、前記拡張天板はヒンジを介し、折り畳まれた状態から水平状態へ回動可能に設けられているとともに、前記ガイドには、前方側へ向かって上傾したガイド面が設けられ、引出しが前方側へ引き出される時に前記ガイド面に沿って前記拡張天板が折り畳まれた状態から水平状態に移行するように構成したことにより、キャビネット本体側に設けられたガイドの上傾したガイド面に沿って良好に拡張天板が折り畳まれた状態から水平状態へ回動されてゆき、引出しを引き出す時にスムーズに拡張天板を水平状態にすることができるものとなる。
【００１２】
また、前記ガイドは、複数のローラーで構成されていることにより、複数のガイドローラーを側板に取り付ける際に、配列および高さ位置等を適宜調整しやすいものであり、複数のガイドローラーの取り付け位置の自由度があり、良好に拡張天板が垂直状態から水平状態へ移行するように複数のガイドローラーの配列を決めることができ、複数のガイドローラーに沿って良好に拡張天板が折り畳まれた状態から水平状態へ回動されてゆき、引出しを引き出す時にスムーズに拡張天板を水平状態にすることができるものとなる。
【００１３】
また、前記天板の後端部に、収納された時に略垂直状態に折り畳まれる拡張天板が設けられていることにより、引出しはキャビネット本体内に収納される時には拡張天板が略垂直状態に折り畳まれるため、奥行き寸法は小さくなり、キャビネット内部の給水，排水配管との干渉を避けることができ、コンパクトに収納されるものとなり、引出しを前方側へ引き出して使用する際には、拡張天板が略垂直状態から水平状態へ回動されてゆき、拡張天板の分だけスペースを広く確保することができるものとなる。
【実施例】
【００１４】
以下、本発明の実施例を図面に基づいて説明する。
図１は、洗面台を構成するキャビネット１の斜視構成図であり、また図２は、キャビネットの下部の拡大正面構成図である。
キャビネット本体２は、左右の側板２ａ，２ｂと背板２ｃで前面側および上面が開放された箱状に形成されて、前方側へ引き出し可能に収納部３が設けられており、また、上面にはカウンター一体型の洗面器４が設置されている。この洗面器４の後方には水栓５およびハンドル５ａが立設されている。
【００１５】
また、キャビネット本体２の底側には、前方側へ引き出し可能に引出し６が設けられている。
この引出し６は、図３に側面図で示すような構造となっている。
即ち、引出し６の左右の側板６ａには、前後方向に略水平に延びてスライドレール１０が固設され、引出し６の前面側には、上前板６ｂと下方の下前板６ｃが設けられており、引出し６の上面には、上方側へ開閉可能に天板７が水平に設けられている。また、引出し６の底側にはキャスター１１，１１が設けられており、このキャスター１１を介して引出し６を床面上で前後方向に移動させることができる。
【００１６】
また、引出し６の天板７の後端側には、拡張天板９が設けられており、この拡張天板９は、引出し６の背面に固設されたヒンジ（蝶番）８に連結され、ヒンジ（蝶番）８を介して、天板７と面一状をなす水平状態の使用位置から、略垂直状態となる収納位置に亘り回動可能となっている。
更に、引出し６の側板６ａには、ロック金具１２が固設されており、このロック金具１２に、軸部１３ａを中心として上下方向に回動可能にロックバー１３が設けられ、ロックバー１３は、ロック金具１２に形成されている上下方向に長い長孔部１２ａの寸法分だけ上下方向に回動できるように構成されている。
【００１７】
一方、キャビネット本体２側には図６および図７に示すように、その左右の側板２ａ，２ｂの何れかまたは両方の内側に、板状のガイド１４が固設され、ガイド１４の前部上端には、Ｌ字状断面のストッパーアングル１６が固設されている。
また、ガイド１４の下端側には、図示しない固定レールが略水平に固定されており、このキャビネット本体２側に固定された固定レールに対し、引出し６に固設されたスライドレール１０が係合して、固定レールに沿ってスライドレール１０が前後方向にスライドされて、引出し６がキャビネット本体２から前方側へ引き出されるように構成されている。
【００１８】
前記ガイド１４は、図４の正面図で、また図５の側面図で示すような構造となっており、上面側にはガイド面１５が形成されており、ガイド面１５は、後方側から前方側へ向かって上傾する上傾面１５ａの上端に、略水平な上水平面１５ｂが前端側に設けられており、また、上傾面１５ａの後端側には下水平面１５ｃが形成されている。
このガイド１４のガイド面１５上に、引出し６の拡張天板９の側端部が当接状に乗り、このガイド面１５に沿って、引出し６が移動する際に、拡張天板９が垂直状態から水平状態に移動されるものである。
【００１９】
図７では、キャビネット本体２内に引出し６が収納された状態を示しており、この状態では、拡張天板９はヒンジ（蝶番）８を介して自重により略垂直状態となり、引出し６の背側に折り畳まれて、コンパクトに収納された状態に維持されるものである。従って、この状態では、キャビネット本体２内に配管されている排水管１７等に拡張天板９が干渉することはなく、コンパクトに引出し６はキャビネット本体２内に収納されるものである。
【００２０】
この状態から引出し６を前方側へ図６のように引き出すと、前方側へ引き出すにつれて拡張天板９がガイド１４の上傾面１５ａに当接状態となり、拡張天板９は上傾面１５ａに沿って次第に垂直状態から水平状態に起き上がってゆき、引出し６を前方側へ十分に引き出した状態では、図６のように、拡張天板９はガイド１４の上水平面１５ｂ上に乗り略水平となって、引出しの天板７とその上面が面一状をなし、あたかも天板７の後部が拡張天板９の分だけ拡張されたような広いスペースが確保されることとなる。
従って、天板７および拡張天板９による広い踏み台となり、その上に良好に乗って、上方側に設置されているキャビネット内の収納物の取り出し等を良好に行うことができるものであり、広いスペースが確保されるため、踏み台としての使用が良好なものとなる。
【００２１】
また、図６の状態では、ロックバー１３の前端側が自重により下方側に傾き、ロックバー１３の後端側がストッパーアングル１６に整合され、この状態では、引出し６をキャビネット本体２側へ押し込もうとしても、ロックバー１３とストッパーアングル１６の当接により阻止されるものである。なお、引出し６をキャビネット本体２内に収納させる際には、ロックバー３の前端を上方側へ押し上げて、ロックバー１３をストッパーアングル１６から外すことにより、容易に引出し６を収納させることができるものである。
【００２２】
次に、図８〜図１０はキャビネットの変更例を示すものであり、図８〜図１０のキャビネットでは、引出し６の上下寸法が４００ｍｍの高い寸法に設定されたものである。
引出し６の上面には、ベンチ台として腰掛けることのできる天板７が設けられており、この天板７の後端にヒンジ８を介して拡張天板９が連結されており、この拡張天板９は、図１０の収納状態では、水平な天板７に対し垂直に折り畳まれて収納されるものである。
なお、引出し６の上方に引き出し可能に設けられている収納部３は、図１および図２のものよりも上下寸法が小さく形成されている。
【００２３】
このように、引出し６と収納部３の寸法が、前述した実施例とは異なる寸法に設定されており、その他、前述した実施例と異なる点は、キャビネット本体２の左右の側板２ａ，２ｂの何れかまたは両方の内側に、ガイド１４に代えて複数のガイドローラー１９が設けられている点である。
この複数のガイドローラー１９は、前面側から背板２ｃ側に向かって湾曲状に下傾した軌跡上に複数配置されたものであり、図１０の引出し６の収納状態から徐々に引出し６を前方側へ引き出してゆくと、垂直状態に折り畳まれている拡張天板９が後端側のガイドローラー１９から次第に前方側のガイドローラー１９に当接してゆき、垂直状態から徐々に水平状態に移行し、引出し６を完全に引き出した状態では、拡張天板９は天板７と面一状の水平状態になるように設定されている。この状態では、天板７の後部に更に拡張天板９が加わり、広い面積のベンチ台が形成されることとなり、安定して広い面積の天板７および拡張天板９上に腰を降ろすことができるものである。また、この広い面積の天板７，９上は、様々な調理等の作業台としても有効に使用することができるものとなる。
【００２４】
本例では、前記ロックバー１３の形状も変更されており、ロックバー１３は、横方向に延びる横棒部１３ｂの前端に上方へ一体状に立ち上げて立上部１３ｃが形成され、立上部１３ｃの上端で後方側へ略水平に折り曲げて操作部１３ｄが一体形成されたものであり、引出し６を引き出した状態では、横棒部１３ｂの後端がキャビネット本体２の側板２ｂに固定されているストッパーアングル１６に当接して、後方側への移動が良好に規制されるものである。
この状態から、操作部１３ｄを手で上方へ引き上げることにより、横棒部１３ｂが略水平状態となってストッパーアングル１６から離れ、この状態で良好に引出し６を収納方向へ移動させてキャビネット本体２側へ収納させることができるものである。
【００２５】
なお、図９中１０ａは、キャビネット本体の側板２ａ，２ｂに固定された横方向に延びる固定レールであり、この固定レール１０ａに、引出し６の側面に固定状に設けられているスライドレール１０が係合されて、固定レール１０ａに沿ってスライドレール１０が引出し６と共に前後方向に移動できるものである。
なお、キャビネット本体の側板２ａ，２ｂの内側の底側には、桟木１８が立設されており、引出し６の収納状態では、引出し６の後端がこの桟木１８に当接するように構成されている。
その他の構成は、前述した実施例とほぼ同様であり、ほぼ同一の部材には同一の符号を付して、その説明を省略する。
【００２６】
このように本例では、拡張天板９のガイドとして、複数のガイドローラー１９をキャビネット本体の左右の側板２ａ，２ｂの何れかまたは両方の内側に湾曲状に配列させたものであり、この複数のガイドローラー１９を側板２ａ，２ｂに取り付ける際に、湾曲状の配列および高さ位置等を適宜調整しやすいものであり、複数のガイドローラー１９の取り付け位置の自由度があり、良好に拡張天板９が垂直状態から水平状態へ移行するように複数のガイドローラー１９の配列を決めることができるものとなる。
【図面の簡単な説明】
【００２７】
【図１】踏み台となる引出しを備えたキャビネットの斜視構成図である。
【図２】図１のキャビネットの下部の正面拡大構成図である。
【図３】引出しの側面構成図である。
【図４】キャビネット本体の側板の内側に固設されるガイドの正面構成図である。
【図５】ガイドの側面構成図である。
【図６】キャビネット本体から引出しを引き出して踏み台として使用する状態の側面構成図である。
【図７】引出しをキャビネット本体内に収納させた状態の側面構成図である。
【図８】キャビネットの別例を示すキャビネットの正面構成図である。
【図９】図８のキャビネット本体から引出しを引き出した状態の側面構成図である。
【図１０】図８のキャビネット本体内に引出しを収納させた状態の側面構成図である。
【符号の説明】
【００２８】
１  キャビネット
２  キャビネット本体
２ａ，２ｂ  側板
２ｃ  背板
３  収納部
４  洗面器
６  引出し
６ａ  側板
６ｂ，６ｃ  前板
７  天板
８  ヒンジ（蝶番）
９  拡張天板
１０  スライドレール
１０ａ  固定レール
１１  キャスター
１２  ロック金具
１３  ロックバー
１３ｂ  横棒部
１３ｄ  操作部
１４  ガイド
１５  ガイド面
１５ａ  上傾面
１５ｂ  上水平面
１６  ストッパーアングル
１７  排水管
１８  桟木
１９  ガイドローラー
【図１】
2009050677.tif 000003
【図２】
2009050677.tif 000004
【図３】
2009050677.tif 000005
【図４】
2009050677.tif 000006
【図５】
2009050677.tif 000007
【図６】
2009050677.tif 000008
【図７】
2009050677.tif 000009
【図８】
2009050677.tif 000010
【図９】
2009050677.tif 000011
【図１０】
2009050677.tif 000012